(57)【要約】【課題】熱交換性能が向上し、室内機の小型化、薄型化を図ることができる空気調和機の室内機を提供する。【解決手段】本空気調和機の室内機は、室内熱交換器の側部でかつその流路の中間に設けられた二方弁を備え、この二方弁には一端が熱交換器の流路中間のＵ字状パイプに接続され、他端が二方弁に接続されかつ、Ｕ字状パイプから前方に突出し、Ｕ字状に折曲して後方に延出する二方弁連結パイプが接続される。【選択図】  図５
2006242412.tif 000002
【特許請求の範囲】
【請求項１】
吸込口および吹出口を備えた本体内に熱交換器、送風機などを収容した空気調和機の室内機において、前記室内熱交換器の側部でかつその流路の中間に設けられた二方弁を備え、この二方弁には一端が前記熱交換器の流路中間のＵ字状パイプに接続され、他端が二方弁に接続されかつ、前記Ｕ字状パイプから前方に突出し、Ｕ字状に折曲して後方に延出する二方弁連結パイプが接続されたことを特徴とする空気調和機の室内機。
【請求項２】
前記二方弁連結パイプを覆い、この二方弁連結パイプの最高温度よりも高い耐熱温度を有する耐熱性材質からなる二方弁パイプカバーを備えたことを特徴とする請求項１に記載の空気調和機の室内機。
【発明の詳細な説明】
【技術分野】
【０００１】
本発明は空気調和機の室内機に係り、特に室内熱交換器に取付けられる二方弁の取付け構造を改良した空気調和機の室内機に関する。
【背景技術】
【０００２】
従来、空気調和機の室内機において、その室内熱交換器の流路の中間に設けられる再熱除湿用の絞り弁として機能する二方弁は、室内熱交換器の側部あるいは前面などの空間に配置されている。
【０００３】
このように２方弁を室内熱交換器の側部に配置した場合、室内熱交換器との接続配管スペースが必要となるため、その分室内熱交換器の長さを短縮させるか、室内機本体の横幅を広げて収納スペースを確保し収納させていた。
【０００４】
しかしながら、室内機本体の横幅を広げると、据付スペースが限定されてしまう問題があり、室内熱交換器の長さを短縮させると、性能が低下するといった問題点があった。
【０００５】
また、室内熱交換器の長さを確保するため、二方弁を室内熱交換器の前面に配置することが行なわれていたが、二方弁が前方に大きく突設するため、室内ユニットの薄型化を図ることができないといった問題点があった（特許文献１）。
【特許文献１】特開２００３−７４８９４号公報
【発明の開示】
【発明が解決しようとする課題】
【０００６】
本発明は上述した事情を考慮してなされたもので、熱交換性能が向上し、室内機の小型化、薄型化を図ることができる空気調和機の室内機を提供することを目的とする。
【課題を解決するための手段】
【０００７】
上述した目的を達成するため、本発明に係る空気調和機の室内機は、吸込口および吹出口を備えた本体内に熱交換器、送風機などを収容した空気調和機の室内機において、前記室内熱交換器の側部でかつその流路の中間に設けられた二方弁を備え、この二方弁には一端が前記熱交換器の流路中間のＵ字状パイプに接続され、他端が二方弁に接続されかつ、前記Ｕ字状パイプから前方に突出し、Ｕ字状に折曲して後方に延出する二方弁連結パイプが接続されたことを特徴とする。
【発明の効果】
【０００８】
本発明に係る空気調和機の室内機によれば、熱交換性能が向上し、室内機の小型化、薄型化を図ることができる空気調和機の室内機を提供することができる。
【発明を実施するための最良の形態】
【０００９】
以下、本発明に係る空気調和機の室内機の一実施形態について添付図面を参照して説明する。
【００１０】
図１は本発明に係る空気調和機の室内機の縦断面図、図２はその熱交換器の側部近傍の正面図である。
【００１１】
図１及び図２に示すように、本発明に係る空気調和機の室内機１は、本体２を有し、この本体２には、その前面部に前面パネル３が設けられており、この前面パネル３の前面側にグリルで形成される前部吸込口３ａが開口され、上面にグリルで形成される上部吸込口３ｂが開口されている。
【００１２】
また、本体２内には、フィンチューブ型の室内熱交換器４が配設され、この室内熱交換器４は前面側熱交換器５及び背面側熱交換器６が折曲げまたは分割して略逆Ｖ字状に形成されており、前面側熱交換器５は前面側に前方に突出するように湾曲した形状を有し、背面側熱交換器６は前面側熱交換器５に連結され上面乃至背面側に対向し、背面側に向かって下方に傾斜して配設されている。
【００１３】
一方、前面側熱交換器５の前方で前部吸込口３ａの後方には、フィルタ７が配置されており、また、前面側熱交換器５の後方には室内ファン８が配設されており、その室内ファン８の下方には調和空気の吹出口９が形成されている。この吹出口９には空調空気の吹出し方向を調整するルーバー１０が設けられている。
【００１４】
また、図３〜図５に示すように、前面側熱交換器５の側部でかつその流路の中間には、絞り弁の機能を持ち電磁コイル１１ａを備えた二方弁１１が設けられている。この二方弁１１は、冷房サイクルにおいて二方弁１１を絞ったとき、前面側熟交換器５の流路の中間より上側と背面側熱交換器６が凝縮作用、前面側熱交換器５の中間より下側が蒸発作用をなすようになっている。
【００１５】
また、二方弁１１の上流側の伝熱パイプ５ａおよび下流側の伝熱パイプ５ｂは、複数例えば２パスの並列パスとして効率向上を図っている。さらに、前面側熟交換器５と二方弁１１の接続は、伝熱パイプ５ａの２パスが合流する前面側熱交換器５の側部のＵ字状パイプ５ｃに一端が接続され、他端が二方弁１１の側部より突出する第１の二方弁パイプ１１ｂに接続された二方弁入口側連結パイプ５ｄにより行われ、また、２パスでなる下流側の伝熱パイプ５ｂに連結する分岐管となる長手Ｕ字状パイプ５ｅに一端が接続され、他端が二方弁１１の下部より突出する第２の二方弁パイプ１１ｃに連結された二方弁出口側連結パイプ５ｆにより行われている。
【００１６】
従って、２パスの二方弁１１の上流側の伝熱パイプ５ａの流路からの冷媒が、２パスが合流する前面側熱交換器５の側部のＵ字状パイプ５ｃで合流して１本の二方弁入口側連結パイプ５ｄに流れ、第１の二方弁パイプ１１ｂから二方弁１１に送られ、二方弁１１を通過した後、第２の二方弁パイプ１１ｃから二方弁出口側連結パイプ５ｆに送られ、分岐管となる長手Ｕ字状パイプ５ｅで冷媒が分岐して下流側の伝熱パイプ５ｂに流れるように作用する。
【００１７】
また、二方弁１１は、側面より突出する第１の二方弁パイプ１１ｂを前向きに配置させると共に、二方弁入口側連結パイプ５ｄを前面側熱交換器５の側部のＵ字状パイプ５ｃから前方に突出させ、Ｕ字状に折曲して後方に延出して第１の二方弁パイプ１１ｂに接続されている。
【００１８】
これにより、前面側熱交換器５の側部に配管接続用のスペースをとらずに二方弁１１を前面側熱交換器５と接近させて配置することが可能となり、室内機本体の横幅を広げる必要がなく、小型化を図ることができる。また、前面側熱交換器５の長さを短縮させる必要がなく、熱交換性能を向上させることができる。さらに、熱交換器の長さを確保するため、二方弁１１を前面側熱交換器５の前面に配置する必要がなく、二方弁１１が前方に大きく突設することがないので、室内ユニットの薄型化を図ることができる。また、狭いスペースでも配管接続を容易に行なうことができる。
【００１９】
また、二方弁出口側連結パイプ５ｆは、前面側熱交換器５の側部から突出する多数のＵ字状パイプに比べて長く突出した長手Ｕ字状パイプ５ｅに接続されており、これにより、二方弁入口側連結パイプ５ｄと同様に二方弁１１を前面側熱交換器５の側部に形成されるスペースに収容するのに役立ち、二方弁１１を前面側熱交換器５の側部に接近させて配置することができ、二方弁が前方に大きく突設する必要がなく、さらに、狭いスペースでも配管接続を容易に行なうことができる。
【００２０】
また、図６に示すように、二方弁入口側連結パイプ５ｄは、室内空気と接すると結露してドレンが発生するのでこれを防止するために、パイプカバー１２が装着されるのが好ましい。このパイプカバー１２は、二方弁出口側連結出口側連結パイプ５ｄの最高温度よりも高い耐熱温度を有する耐熱性材質例えばポリエチレンフォーム製で先端が閉じた袋状であり、断熱効果を持たせてパイプ先端部の結露を抑制し、また、ドレン水の落下、飛散を防止し、さらに、パイプの当たり等による保護を行なう。また、耐熱性が高いため二方弁が高温になっても溶融等の問題も生じない。
【００２１】
上記実施形態の空気調和機の室内機によれば、熱交換性能が向上し、室内機の小型化、薄型化を図ることができる空気調和機の室内機が実現される。
【図面の簡単な説明】
【００２２】
【図１】本発明に係る空気調和機の室内機の縦断面図。
【図２】本発明に係る空気調和機の室内機の熱交換器の側部近傍の正面図。
【図３】本発明に係る空気調和機の室内機の熱交換器及び二方弁の斜視図。
【図４】本発明に係る空気調和機の室内機の熱交換器の側部近傍の斜視図。
【図５】本発明に係る空気調和機の室内機の熱交換器及び二方弁を拡大して示す斜視図。
【図６】本発明に係る空気調和機の室内機に用いられる二方弁パイプカバーの斜視図。
【符号の説明】
【００２３】
１…空気調和機の室内機、２…本体、３…前面パネル、４…室内熱交換器、５…前面側熱交換器、５ｃ…Ｕ字状パイプ、５ｄ…二方弁入口側連結パイプ、５ｅ…長手Ｕ字状パイプ、５ｆ…二方弁出口側連結パイプ、６…背面側熱交換器、１１…二方弁、１１ａ…電磁コイル、第１の二方弁パイプ１１ｂ、第２の二方弁パイプ１１ｃ、１２…パイプカバー。
【図１】
2006242412.tif 000003
【図２】
2006242412.tif 000004
【図３】
2006242412.tif 000005
【図４】
2006242412.tif 000006
【図５】
2006242412.tif 000007
【図６】
2006242412.tif 000008